(57)【要約】【課題】都市の墓地不足により遠隔地に墓地を求めることを余儀なくされている昨今、高齢者などの遠隔地への墓参りは大きな負担となっている。従って本発明は高齢者などの不便な遠隔地への墓参りの負担の軽減と、墓地不足により高騰する墓地の購入に係る経済的負担の軽減を課題とする。【解決手段】請求項１は石製の家用メモリアルの一部を刳り貫いて納骨スペースを設け、遺骨の一部を納めて密閉する方法により、遠隔地の墓に自由に墓参りができない高齢者などに、毎日墓参りをするのと同様の満足感が得られる画期的な供養の形を提供することにより、墓参りの負担を軽減する。又、請求項２は墓石の一部を刳り貫いて納骨スペースを設け、遺骨を納めた後にセメントなどを充填し、密閉して納骨する方法により遺骨収納庫を必要としないシンプルな構造の墓を作る。この特徴を活かして墓を小型にすることにより墓の購入に係わる経済的負担を軽減する。【選択図】  図１
2007120043.tif 000002
【特許請求の範囲】
【請求項１】
石碑の一部を刳り貫いて納骨スペースを設け、遺骨を納めた後にセメント等の硬化剤を充填し、密閉して納骨することを特徴とする石碑。  
【発明の詳細な説明】
【技術分野】
【０００１】
本発明は、墓と石碑に関するものである。
【背景技術】
【０００２】
従来の墓は、石造りの遺骨収納庫部分と石碑部分から成るものを、墓地に建立するのが一般的である。この例として特許文献１、及び特許文献２に開示されているものがある。          
【特許文献１】特許第３６６０３２７号
【特許文献２】特開２００５−１８０１３０
【０００３】
又、本発明と一部の類似点をもつ特許文献３、及び特許文献４に開示されているものもある。
【特許文献３】特開２００１−１７３２７２
【特許文献４】特開２００４−０３３６９２
【発明の開示】
【発明が解決しようとする課題】
【０００４】
しかし、請求項１及び請求項２の従来の墓石は共に高額であり、しかも都市では近隣に墓地を購入することは困難を極め、不便な遠隔地に墓地を求めることを余儀なくされている。更に転居による墓移転の問題も課題とされている。
【０００５】
又、特許文献３及び特許文献４は、家に遺骨を安置する点では本発明と一部類似するが、これらは何れも従来の骨壷を家に置くことであり、違和感があって置く場所が限定されることになる。     
【０００６】
従って、本発明は従来の墓の購入に係わる経済的な負担の軽減と、不便な遠隔地への墓参り、及び転居による墓移転の問題を解決することを課題とする。
【課題を解決するための手段】
【０００７】
この課題を解決するため請求項１は、従来の墓の構造が遺骨収納庫と石碑部分の二層構造であったものを、石碑の一部を刳り貫いて遺骨を納め、セメント等の硬化剤を充填して密閉するシンプルな構造とし、小型化することを特徴とする。
【０００８】
このシンプルな構造の特徴を生かし、持ち運び可能でインテリアとのバランスが良く、家に置いて供養することを前提にした違和感のないデザインとし、家の庭やインテリアの一部として身近に遺骨を安置する方法により、従来からの埋葬方法による高額な墓の購入に係わる経済的な問題、遠隔地への墓参り、転居による墓移転の問題等の課題を解決する。
【発明の効果】
【０００９】
本発明の効果は、請求項１の石碑を家に置いて供養することにより、高額な墓を購入する必要がなくなり経済的負担が大幅に軽減でき、しかも都市の墓地不足による遠隔地への
墓参り、及び転居による墓移転の問題等を解決することができるとともに、いつまでも大切な人と一緒にいられる画期的な埋葬と供養の形を提供できることである。
【００１０】
又、石碑を持ち運び可能な大きさに作ることにより、いつの日か従来の墓に埋葬することになっても何の問題もなく埋葬することができ、更に石碑を小さくすることによって石材の使用量が少なく、環境への影響を最小限に抑えることにも貢献することとなる。
【発明を実施するための最良の形態】
【００１１】
本発明は既成概念に囚われないで、埋葬の新しい形を求める人のためのものであり、当然のことながら石碑も自由な発想による形とする。従って、ここに挙げるものはその一例である。  
【００１２】
図１は、球体とした石碑本体の一部を刳り貫いて遺骨を納め、セメント等の硬化剤を充填して密閉し、台座に置いた状態の断面図である。尚、この図は石碑本体下部の台座と接する部分に平面を設けたが、これを設けずに台座を石碑の形状に合わせた凹面としてもよい。
【００１３】
又、この図は遺骨と充填剤が抜け落ちることを防ぐための窪みを二箇所に設け、同じ納骨スペースに別の遺骨を納骨できる形としたものであが、納骨スペースを複数設けてもよい。尚、遺骨は遺骨片、又は粉末、若しくは粒状の何れかにして納骨することとするが、この図は遺骨片を納骨したものである。  
【００１４】
図２は、図１で表した石碑の平面図である。
【産業上の利用可能性】
【００１５】
本発明に係わる石碑は、工業的に量産することが可能であるため、産業上の利用可能性を有する。
【図面の簡単な説明】
【００１６】
【図１】球体とした請求項１の断面図である。
【図２】図１で表した石碑の平面図である。
【符号の説明】
【００１７】
１  石碑本体
２  台座
３  遺骨
４  充填剤
５  遺骨を納めるスペース
６  遺骨の抜け落ちを防ぐ窪み
７  石碑下部に設けた平面部分
【図１】
2007120043.tif 000003
【図２】
2007120043.tif 000004
【手続補正書】
【提出日】平成17年12月21日(2005.12.21)
【手続補正１】
【補正対象書類名】明細書
【補正対象項目名】全文
【補正方法】変更
【補正の内容】
【発明の詳細な説明】
【技術分野】
【０００１】
本発明は、墓石と家用石碑に関するものである。
【背景技術】
【０００２】
従来の墓は、石造りの遺骨収納庫部分と石碑部分から成るものを、墓地に建立するのが一般的である。この例として特許文献１、及び特許文献２に開示されているものがある。          
【特許文献１】特許第３６６０３２７号
【特許文献２】特開２００５−１８０１３０
【０００３】
又、本発明と一部の類似点をもつ特許文献３、及び特許文献４に開示されているものもある。
【特許文献３】特開２００１−１７３２７２
【特許文献４】特開２００４−０３３６９２
【発明の開示】
【発明が解決しようとする課題】
【０００４】
しかし、従来の墓と墓石は共に高額であり、しかも都市では近隣に墓地を購入することは困難を極め、不便な遠隔地に墓地を求めることを余儀なくされている。又、転居による墓移転の問題も課題とされている。
【０００５】
又、特許文献３及び特許文献４は、家に遺骨を安置する点では本発明と一部類似するが、これらは何れも従来の骨壷を家に置くことであり、違和感があって置く場所が限定されることになる。     
【０００６】
従って、本発明は従来の墓の購入に係わる経済的な負担の軽減と、不便な遠隔地への墓参り、及び転居による墓移転の問題等を解決することを課題とする。
【課題を解決するための手段】
【０００７】
この課題を解決するため本発明は、従来の墓の構造が遺骨収納庫と石碑部分の二層構造であったものを、石碑の一部を刳り貫いて納骨スペースを設け、遺骨を納めた後にセメント等の硬化剤を充填して密閉する方法により、遺骨収納庫を必要としないシンプルな構造の墓を作る。
【０００８】
このシンプルな構造の特徴を活かして墓石を小型にすることにより、墓の購入に係わる経済的負担を軽減する。又は請求項１を家のリビング等に置くことを前提とした家用の石碑とし、従来の墓を持たない選択をすることにより高額な墓の購入、遠隔地への墓参り、転居による墓移転の問題等の課題を解決する。
【発明の効果】
【０００９】
本発明の効果は、大型で高額な従来の墓をシンプル且つ小型にすることにより、墓の購入に係わる経済的負担が軽減できることになる。又、本発明は墓地用の他に家用の石碑として作ることができる特徴があり、この特徴を活かして家用の石碑のみとし従来の墓を持たない選択をすることにより、高額な墓の購入に係わる経済的な問題が解決できるとともに、都市の墓地不足による不便な遠隔地への墓参り、及び転居による墓移転等の問題も解決することができ、しかも大切な故人といつまでも一緒にいられる画期的な方法を提供することができることである。  又、いつの日か家用の石碑を従来の墓に納めることになっても何の問題もなくそのまま納めることができるため、墓の選択肢が広くなり多様なニーズに応えることができることとなる。
【００１０】
更に、請求項１により墓を小型にできるため、石材の使用量が少なく環境への影響を最小限に抑えることにも貢献することができる。
【発明を実施するための最良の形態】
【００１１】
本発明は既成概念に囚われないで、埋葬の新しい形を求める人のためのものであり、当然のことながら墓石又は家用の石碑も自由な発想による形とする。例えば墓石又は家用の石碑を仏像や故人の像等にしてもよい。即ち本発明の本質は外形ではなく石碑又は石製の仏像等の一部を刳り貫いて遺骨を納めるスペースを設け、遺骨を納めた後にセメント等の硬化剤を充填して密閉する納骨の方法こそが趣旨であり、ここに挙げるものはその一例に過ぎず球体に固執するものではない。  
【００１２】
図１は、球体とした請求項1の家用石碑の一部を刳り貫いて遺骨を納め、セメント等の硬化剤を充填して密閉し、台座に置いた状態の断面図である。尚、この図は家用石碑本体下部の台座と接する部分を平面とした室内用の石碑であるが、この部分は室内用を除いて排水性を考慮した形状とし、排水用の溝、穴等を設けることが望ましい。
【００１３】
又、この図は遺骨と充填剤が抜け落ちることを防ぐための窪みを二箇所に設け、同じ納骨スペースに別の遺骨を納骨できる形としたものであるが、この窪みは抜け落ちることを防ぐための一つの方法でありこれに固執するものではない。又、納骨スペースを複数個所に設けてもよい。尚、遺骨は遺骨片、又は粉末、若しくは粒状の何れかにして納骨することとするが、遺骨は石碑部分の大きさに応じて適量を納骨する。
【００１４】
図２は、図１で表した請求項１の家用石碑の平面図である。
【産業上の利用可能性】
【００１５】
本発明に係わる墓石及び家用の石碑は、工業的に量産することが可能であるため、産業上の利用可能性を有する。
【図面の簡単な説明】
【００１６】
【図１】球体とした請求項１の家用石碑の断面図である。
【図２】図１で表した請求項１の家用石碑の平面図である。
【符号の説明】
【００１７】
１  家用石碑本体
２  台座
３  遺骨
４  充填剤
５  遺骨を納めるスペース
６  遺骨の抜け落ちを防ぐ窪み
７  家用石碑下部に設けた平面部分
【手続補正書】
【提出日】平成18年3月1日(2006.3.1)
【手続補正１】
【補正対象書類名】特許請求の範囲
【補正対象項目名】全文
【補正方法】変更
【補正の内容】
【特許請求の範囲】
【請求項１】
石製の家用メモリアルの一部を刳り貫いて納骨スペースを設け、納骨した後にセメントなどの硬化剤を充填し、密閉して納骨することを特徴とする家用メモリアル。  
【請求項２】
墓石の一部を刳り貫いて納骨スペースを設け、納骨した後にセメントなどの硬化剤を充填し、密閉して納骨することを特徴とする墓石。
【手続補正２】
【補正対象書類名】明細書
【補正対象項目名】全文
【補正方法】変更
【補正の内容】
【発明の詳細な説明】
【技術分野】
【０００１】
本発明は、墓石と家用のメモリアルに関するものである。
【背景技術】
【０００２】
従来の墓は、遺骨収納庫部分と墓石部分から成るものを墓地に建立するのが一般的である。この例として特許文献１及び特許文献２に開示されているものがある。          
【特許文献１】特許第３６６０３２７号
【特許文献２】特開２００５−１８０１３０
【０００３】
又、本発明と一部の類似点をもつ特許文献３及び特許文献４に開示されているものもある。
【特許文献３】特開２００１−１７３２７２
【特許文献４】特開２００４−０３３６９２
【発明の開示】
【発明が解決しようとする課題】
【０００４】
しかし従来の墓は高額であり、しかも都市で近隣に墓地を購入することは困難を極め、不便な遠隔地に墓地を求めることを余儀なくされている。特に高齢化社会といわれる昨今高齢者などの遠隔地への墓参りは益々大きな負担となっている。
【０００５】
又、特許文献３及び特許文献４は、家に遺骨を保管する点では本発明と一部類似するが、これらは何れも従来の骨壷を家に置くことであり、違和感があって置く場所が限定されることになる。従って本発明は従来の墓の購入に係わる経済的負担の軽減と、益々大きくなる高齢者などの遠隔地への墓参りの負担を軽減することを課題とする。  
【課題を解決するための手段】
【０００６】
この課題を解決するため請求項１は、石製の家用メモリアルの一部を刳り貫いて納骨スペースを設け、遺骨を納めた後にセメントなどの硬化剤を充填し、密閉して納骨することを特徴とする。この家用メモリアルは大切な人の遺骨を違和感なく家に保管する画期的な方法であり、大切な人といつまでも一緒にいたいと願う人の望みを叶えるとともに、遠隔地の墓へ自由に墓参りができない高齢者などに、毎日墓参りをするのと同様の満足感が得られる新しい供養の形を提供することにより、高齢者などの墓参りの負担を軽減する。
【０００７】
又、請求項２は従来の墓の構造が遺骨収納庫部分と墓石部分の二層構造であったものを、墓石部分の一部を刳り貫いて納骨スペースを設け、遺骨を納めた後にセメントなどの硬化剤を充填し、密閉して納骨する方法により遺骨収納庫を必要としないシンプルな構造の墓を作る。このシンプルな構造の特徴を活かして墓を小型にすることにより、墓の購入に係わる経済的負担を軽減する。
【０００８】
尚、請求項１は墓地などに納める遺骨の一部、若しくは散骨する場合の遺骨の一部を粉末、又は粒状、若しくは遺骨片にして納め、請求項２は遺骨の全て若しくは一部を粉末、又は粒状、若しくは遺骨片にして納める。                        
【発明の効果】
【０００９】
本発明は墓石又は家用メモリアルの一部を刳り貫いて納骨スペースを設け、遺骨を納めた後にセメントなどの硬化剤を充填し、密閉して納骨することを特徴とする。即ち請求項１の効果は、墓地やロッカー式納骨堂などに納める遺骨の一部、若しくは散骨をする場合の遺骨の一部を請求項１の家用メモリアルに保管する方法により、大切な人の遺骨を家のリビングなどに違和感なく置くことができ、大切な人といつまでも一緒にいたいと願う人の望みを叶えることができるとともに、遠隔地の墓へ自由に墓参りができない高齢者などに、毎日墓参りをするのと同様の満足感が得られる画期的な供養の形を提供することにより、墓参りの負担を軽減できることである。尚、請求項１の家用メモリアルを従来の墓に納めることになってもそのまま納めることができ、葬送の選択肢が広くなり多様なニーズに応えることができる。
【００１０】
又、請求項２のシンプルな構造の特徴を活かし、大型で高額な従来の墓を小型にすることにより、墓地の選択肢が広くなるとともに墓の購入に係わる経済的負担を軽減することができる。尚、墓を小型にすることによって石材の使用量が少なくなり、環境への影響を最小限に抑えることができる。
【発明を実施するための最良の形態】
【００１１】
本発明は葬送の新しい形を求める人のためのものであり、当然のことながら墓石又は家用のメモリアルも自由な発想による形とする。例えば墓石又は家用のメモリアルを石仏や故人の像などにしてもよい。従って図１及び図３に表したものはその一例でありここに挙げた形に固執するものではない。又、ここに挙げたものは家用メモリアル及び墓石本体の下側から遺骨を納めたが、遺骨を納める部分については墓石の形により適宜変えるものとする。  
【００１２】
図１は球体とした請求項１の家用メモリアルの下側から遺骨片を納め、セメントなどの硬化剤を充填して密閉した家用メモリアルの断面図である。尚、この図は台座と接する部分を平面とした屋内用のメモリアルであるが、この部分は屋内用を除いて排水性を考慮した形状とし排水用の溝などを設けることが望ましい。
【００１３】
又、この図は遺骨が抜け落ちることを防ぐための窪みを二箇所に設け、同じ納骨スペースに別の遺骨を納骨できる形としたものであるが、この窪みは遺骨が抜け落ちることを防ぐ一つの方法でありこれに固執するものではない。又、納骨スペースを複数設けてもよい。
【００１４】
図２は図１で表した請求項１の家用メモリアルの平面図である。
【００１５】
図３は立方体とした墓石に複数設けた納骨スペースの一つに遺骨片を納め、セメントなどの硬化剤を充填して密閉した請求項２の墓石の断面図である。尚、この図は台座部分に排水用の溝を設けた屋外用の墓石である。
【００１６】
図４は図３で表した請求項２の墓石の平面図である。
【産業上の利用可能性】
【００１７】
本発明に係わる墓石及び家用のメモリアルは、工業的に量産することが可能であるため産業上の利用可能性を有する。
【図面の簡単な説明】
【００１８】
【図１】球体とした請求項１の家用メモリアルの断面図である。
【図２】図１で表した家用メモリアルの平面図である。
【図３】立方体とした請求項２の墓石の断面図である。
【図４】図３で表した墓石の平面図である。
【符号の説明】
【００１９】
１  家用メモリアル本体
２  台座
３  遺骨片
４  充填剤
５  遺骨を納めるスペース
６  遺骨の抜け落ちを防ぐ窪み
７  家用メモリアル下部に設けた平面部分
８  墓石本体
９  排水用の溝
【手続補正３】
【補正対象書類名】図面
【補正対象項目名】全図
【補正方法】変更
【補正の内容】
【図１】
2007120043.tif 000005
【図２】
2007120043.tif 000006
【図３】
2007120043.tif 000007
【図４】
2007120043.tif 000008